(57)【要約】【課題】機体の両側に昇降駆動する施肥ノズルを備え、この施肥ノズルが地中に打込まれた時に、肥料タンクからポンプを介して圧送される肥料を地中に施肥する歩行型施肥機において、前記ポンプや肥料ホース類の配策をコンパクト且つ安価に構成する。【解決手段】走行機体１１の上部に設けた肥料タンク１６の下方に、ポンプ３１，３１への分岐配管部を構成するサクションターミナル３４を設け、該サクションターミナル３４にドレンホース３５を連結すると共に、前記ポンプ３１，３１に自給式の吐出ポンプを採用した。【選択図】図２
2006304613.tif 000002
【特許請求の範囲】
【請求項１】
走行機体（１１）の両側に設けた施肥ノズル（２５，２５）を昇降駆動させる動力伝動部（２４）と、走行機体（１１）の上部に設けた肥料タンク（１６）内の肥料を施肥ノズル（２５，２５）に圧送するポンプ（３１，３１）を備え、前記施肥ノズル（２５，２５）によって肥料を地中に施肥する施肥機において、前記肥料タンク（１６）の下方にポンプ（３１，３１）への分岐配管部（３４）を設け、該分岐配管部（３４）にドレンホース（３５）を連結すると共に、前記ポンプ（３１，３１）に自給式の吐出ポンプを採用したことを特徴とする歩行型施肥機。
【発明の詳細な説明】
【技術分野】
【０００１】
本発明は、走行機体の両側に設けた施肥ノズルを地中に挿入して肥料を施肥する畑作用の歩行型施肥機に関する。
【背景技術】
【０００２】
従来、一般的な畑作用の歩行型施肥機においては、機体の両側に昇降駆動する施肥ノズルを設け、この施肥ノズルが地中に打込まれた時に、肥料タンクからポンプを介して圧送される肥料を所定の間隔で点状に施肥できるように構成したものが知られている（例えば、特許文献１参照。）。
【特許文献１】特開平１１−２８５３０９号公報（第２−３頁、図１−図４）
【発明の開示】
【発明が解決しようとする課題】
【０００３】
しかし、上述した従来のものでは、機体上部に設けた肥料タンクからサクションホースを介して機体前部に配置した肥料繰出しポンプ（定容量ねじポンプ）とを連結すると共に、この肥料繰出しポンプを経て分岐させたホースを介して機体後部に配置したプランジャ型のポンプに連結し、更にこのプランジャ型のポンプの肥料送出側と施肥ノズルの上端とをホースを介して連結するといった複雑な配管がなされる一方、前記プランジャ型のポンプから肥料タンクへストップバルブを介したリターンホースが設けられており、これらのホース類の配策と両ポンプ等をコンパクト且つ安価に構成することが期待されていた。
【課題を解決するための手段】
【０００４】
本発明は、上記課題を解決することを目的としたものであって、走行機体の両側に設けた施肥ノズルを昇降駆動させる動力伝動部と、走行機体の上部に設けた肥料タンク内の肥料を施肥ノズルに圧送するポンプを備え、前記施肥ノズルによって肥料を地中に施肥する歩行型施肥機において、前記肥料タンクの下方にポンプへの分岐配管部を設け、該分岐配管部にドレンホースを連結する共に、前記ポンプに自給式の吐出ポンプを採用したことを特徴としている。
【発明の効果】
【０００５】
本発明によれば、走行機体の上部に設けた肥料タンクの下方に、該肥料タンク内の肥料を施肥ノズルに圧送するポンプへの分岐配管部を設け、該分岐配管部にドレンホースを連結すると共に、前記ポンプに自給式の吐出ポンプを採用したことによって、この自給式の吐出ポンプで直接肥料タンクから肥料を吸入して施肥ノズルに圧送することができるので、従来のような定容量ねじポンプである肥料繰出しポンプが不要となり、それに伴うサクションホース、リターンホース、ストップバルブ等の廃止や、各ホース類の配策の短縮化も可能になってコストの低減が図れる。
【０００６】
そして、肥料タンクの下方に設けたポンプへの分岐配管部にドレンホースを連結したことによって、このドレンホースは作業者の腰部程度の高さ位置となり、施肥作業終了時に肥料タンク内に残った肥料を、当該作業者は無理のない楽な姿勢で市販のバケツ等を利用して容易に抜き取ることができるようになる。
【発明を実施するための最良の形態】
【０００７】
次に、本発明の実施の形態を図面に基づいて説明する。図１及び図２は、畑作用の圃場に施肥を行う歩行型施肥機の走行機体１１を示す側面図と平面図であって、走行機体１１は、左右の走行車輪１２を備える機体フレーム１３の前部にエンジン１４を搭載すると共に、該エンジン１４の上部に設けた肥料受け板１５上に液肥等の肥料を充填する肥料タンク１６、及び燃料タンク１７を配設している。
【０００８】
そして、機体フレーム１３の最前部には、安全フレームとしてのバンパー１８を設ける一方、機体フレーム１３の後端部には、左右一対の尾輪１９を装着すると共に、その上方に立設した支持フレーム２０に左右の操作ハンドル２１Ｌ，２１Ｒを螺設している。
【０００９】
また、エンジン１４の後方には、ミッションケース２２が設けてあり、このミッションケース２２の下部に軸支した左右の走行車輪１２にエンジン１４の駆動力を伝達する一方、ミッションケース２２上部の図示しない出力軸から出力した駆動力を、当該ミッションケース２２後方の伝動ケース２３に内装した動力伝動部２４を介して、走行機体１１の両側に設けた施肥ノズル２５，２５に伝達している。
【００１０】
そして、施肥ノズル２５，２５は、スライダクランク機構２６を介して側方ガイド板２７の案内溝２７ａに沿って昇降駆動するように構成してある。即ち、前記スライダクランク機構２６は、伝動ケース２３の上部に設けたクランク軸２８と、このクランク軸２８の両端に連結したクランクアーム２９と、該クランクアーム２９に連結した連結ロッド３０等を備え、更に該連結ロッド３０の先端に施肥ノズル２５を装着すると共に、当該施肥ノズル２５が地中に進入して下死点位置に達した時、連動して肥料を圧送（排出）することができるポンプ３１，３１を備えている。
【００１１】
更に詳しくは、前記ポンプ３１，３１は自給式のプランジャ型吐出ポンプであって、施肥ノズル２５，２５が地中に進入して下死点位置に達し、且つ同時にクランク軸２８に設けた図示しないカムの回転によって上下揺動するアーム３２がプランジャ軸３３の頭部３３ａを押し下げた時、ポンプ３１，３１のシリンダ内の肥料を圧送する一方、施肥ノズル２５，２５が上昇して上死点位置に至る過程で、ポンプ３１、３１に内挿した図示しない圧縮スプリングの戻し作用によってプランジャ軸３３が上昇し、それに伴って肥料タンク１６内の肥料を当該ポンプ３１、３１のシリンダ内に吸入することができる構造になっている。
【００１２】
また、肥料タンク１６の下方には、ポンプ３１，３１への分岐配管部を構成するサクションターミナル３４を設けると共に、このサクションターミナル３４の終端にドレンホース３５を連結している。そして、ドレンホース３５は、図２に二点鎖線で示す施肥作業時の収納位置Ａと、実線で示すドレン抜き作業時の作業位置Ｂとに切換え可能に構成している。
【００１３】
そして、サクションターミナル３４から分岐させたホース３６，３６をポンプ３１，３１下部の肥料吸入口に連結すると共に、当該ポンプ３１，３１上部の肥料送出口と施肥ノズル２５，２５の上端とをホース３７，３７を介して連結している。
【００１４】
以上説明したように、走行機体１１の上部に設けた肥料タンク１６の下方に、該肥料タンク１６内の肥料を施肥ノズル２５，２５に圧送するポンプ３１，３１への分岐配管部を構成するサクションターミナル３４を設け、このサクションターミナル３４にドレンホース３５を連結すると共に、当該ポンプ３１，３１に自給式のプランジャ型吐出ポンプを採用したことによって、この自給式のプランジャ型吐出ポンプで直接肥料タンク１６から肥料を吸入して施肥ノズル２５，２５に圧送することができるので、従来のような定容量ねじポンプである肥料繰出しポンプが不要となり、それに伴うサクションホース、リターンホース、ストップバルブ等の廃止や、各ホース類の配策の短縮化も可能になってコストの低減が図れる。
【００１５】
そして、肥料タンク１６の下方に設けたサクションターミナル３４にドレンホース３５を連結したことによって、このドレンホース３５は作業者の腰部程度の高さ位置となり、施肥作業終了時に肥料タンク１６内に残った肥料を、当該作業者は無理のない楽な姿勢で市販のバケツ等を利用して容易に抜き取ることができるようになる。
【００１６】
更に、機体の最前部に設けるバンパー１８（安全フレーム）の下部形状を、上述の如く不要となった従来の繰出しポンプの機体前部における配置スペース分、即ち図１に示すＣ矢印部分を後退させることができ、それによって当該歩行型施肥機１１の回行時における前方障害物との干渉が緩和される。また、不要となった従来の繰出しポンプの機体前部における配置スペースを利用して、機体の前後バランスを調整する補助錘３８を図示の如く搭載することも可能である。
【図面の簡単な説明】
【００１７】
【図１】歩行型施肥機の側面図。
【図２】歩行型施肥機の一部省略平面図。
【符号の説明】
【００１８】
１１  走行機体
１６  肥料タンク
２４  動力伝動部
２５  施肥ノズル
３１  ポンプ
３４  分岐配管部
３５  ドレンホース
【図１】
2006304613.tif 000003
【図２】
2006304613.tif 000004